(57)【要約】【課題】電力源として組電池を適用してコストを低減するとともに、組電池のエネルギー消費を抑制しながら電池モジュールの電極間電圧を検出できる組電池の電圧検出装置を提供する。【解決手段】組電池ＥＧから電源をフォトカプラＸ１，Ｘ２，Ｘ３，…，Ｘｎに供給する複数の電源供給部１２，２２，３２，…，ｎ２と、一以上の電池モジュールＥ１，Ｅ２，Ｅ３，…，Ｅｎの電極間電圧を検出してＭＰＵ１００（信号処理装置）に伝達する複数の電圧検出部１３，２３，３３，…，ｎ３とを有する組電池の電圧検出装置において、組電池ＥＧから電源供給部１２，２２，３２，…，ｎ２、電圧検出部１３，２３，３３，…，ｎ３およびフォトカプラＸ１，Ｘ２，Ｘ３，…，Ｘｎのうちで一以上に供給する電源を所定期間に制限するＯＦＦタイマー１１，２１，３１，…，ｎ１（供給制限部）を有する。【選択図】図１
2013238480.tif 000002
【特許請求の範囲】
【請求項１】
複数の電池モジュールが縦続接続された組電池について、信号処理装置と絶縁型信号伝達部品を介して通信を行うために前記組電池から電源を前記絶縁型信号伝達部品に供給する複数の電源供給部と、一以上の前記電池モジュールの電極間電圧を検出して前記信号処理装置に伝達する複数の電圧検出部とを有する組電池の電圧検出装置において、
前記組電池から前記電源供給部、前記電圧検出部および前記絶縁型信号伝達部品のうちで一以上に供給する前記電源を所定期間に制限する供給制限部を有することを特徴とする組電池の電圧検出装置。
【請求項２】
前記供給制限部は、前記信号処理装置から前記絶縁型信号伝達部品を介して伝達される信号に基づいて、前記組電池から前記絶縁型信号伝達部品に供給する前記電源を制限することを特徴とする請求項１に記載の組電池の電圧検出装置。
【請求項３】
前記供給制限部は、前記電源供給部および前記電圧検出部のうちで一方または双方に備えられることを特徴とする請求項１または２に記載の組電池の電圧検出装置。
【請求項４】
前記供給制限部は、前記複数の電源供給部のうちで一以上の電源供給部について、前記電源を前記絶縁型信号伝達部品に供給することを停止することを特徴とする請求項１から３のいずれか一項に記載の組電池の電圧検出装置。
【請求項５】
前記供給制限部は、前記信号処理装置から伝達される所定の信号を検出しない場合には、前記組電池から前記絶縁型信号伝達部品に供給する前記電源を制限しないことを特徴とする請求項１から４のいずれか一項に記載の組電池の電圧検出装置。
【発明の詳細な説明】
【技術分野】
【０００１】
本発明は、複数の電池モジュールが縦続接続された組電池について、一以上の前記電池モジュールの電極間電圧を検出し、絶縁型信号伝達部品を介して信号処理装置に電極間電圧を伝達する組電池の電圧検出装置に関する。
【背景技術】
【０００２】
従来では、開放モジュール電圧がより高精度に検出でき、高圧の組み電池の無用な寿命短縮を回避でき、更に、走行電力蓄電状態の大きな変動にもかかわらずモジュール電圧の安定な検出を行うことを目的とする電気自動車用組み電池の電圧検出装置に関する技術の一例が開示されている（例えば特許文献１を参照）。この電気自動車用組み電池の電圧検出装置は、それぞれ異なるとともに高電位を処理するモジュール電圧検出回路部の回路作動用電力を主バッテリではなく補機バッテリから入出力絶縁用のトランスを内蔵するＤＣ−ＤＣコンバータを介して給電する構成である。
【先行技術文献】
【特許文献】
【０００３】
【特許文献１】特許第３３９５９５２号公報
【発明の概要】
【発明が解決しようとする課題】
【０００４】
しかし、特許文献１に記載された電気自動車用組み電池の電圧検出装置では、組み電池の電圧（すなわち正、負極間の電位差）を検出してマイコンに伝達するにあたり、差動型電圧検出回路、Ａ／Ｄ変換回路、フォトカプラ素子の全てに対して常に電源（電力）を供給する。当該電源の電力源は補機バッテリであり、組み電池とは別個に必要となる。２種類のバッテリが必要となる点でコスト高になるだけでなく、補機バッテリが供給する電源が低下して検出不能になるのを防止するためのランニングコストも要する。
【０００５】
電力源として組み電池を適用すれば、補機バッテリは不要になり、ランニングコストも無くなる。ところが、各差動型電圧検出回路、各Ａ／Ｄ変換回路、各フォトカプラ素子の使用／不使用にかかわらず、常に電源を供給する必要がある。そのため、組み電池のエネルギーを無駄に消費（消耗）してしまうという問題がある。
【０００６】
本発明はこのような点に鑑みてなしたものであり、電力源として組電池を適用してコストを低減するとともに、組電池のエネルギー消費を抑制しながら電池モジュールの電極間電圧を検出できる組電池の電圧検出装置を提供することを目的とする。
【課題を解決するための手段】
【０００７】
上記課題を解決するためになされた発明は、複数の電池モジュールが縦続接続された組電池について、信号処理装置と絶縁型信号伝達部品を介して通信を行うために前記組電池から電源（電力の意味を含む。以下同じである。）を前記絶縁型信号伝達部品に供給する複数の電源供給部と、一以上の前記電池モジュールの電極間電圧を検出して前記信号処理装置に伝達する複数の電圧検出部とを有する組電池の電圧検出装置において、前記組電池から前記電源供給部、前記電圧検出部および前記絶縁型信号伝達部品のうちで一以上に供給する前記電源を所定期間に制限する供給制限部を有することを特徴とする。
【０００８】
この構成によれば、供給制限部によって、組電池から電源供給部、電圧検出部、絶縁型信号伝達部品に供給される電源が所定期間に制限される。電力源として組電池を適用するので、従来技術のような補機バッテリは不要になり、コストを低減することができる。常に電源を供給する必要が無いので、組電池のエネルギー消費を抑制することができる。
【０００９】
なお「電池モジュール」は、電池セルと呼ぶ場合もある。「一以上の電池モジュールの電極間電圧」は、一の電池モジュールについては当該電池モジュールの正極と負極との電位差が該当し、二以上の電池モジュールについては縦続接続された電池モジュールにかかる両端部の電池モジュールの正極と負極との電位差が該当する。「絶縁型信号伝達部品」は、絶縁を確保しながら信号を伝達可能な部品であれば任意である。例えば、フォトカプラ，トランス，フォトＭＯＳ，アイソレーションアンプ，抵抗器，コンデンサ等のうちで一以上が該当する。「供給制限部」は、電源の供給を所定期間に制限できれば任意に構成してよい。例えば、タイマー，プログラマブルロジックコントローラ，パルス発生器（マルチバイブレータ等）等のうちで一以上が該当する。
【図面の簡単な説明】
【００１０】
【図１】組電池の電圧検出装置の第１構成例を示す模式図である。
【図２】供給制限処理の手続き例を示すフローチャートである。
【図３】作動停止処理の手続き例を示すフローチャートである。
【図４】検出指令信号に基づくＯＦＦタイマーやフォトカプラついて経時的な変化を示すタイムチャートである。
【図５】組電池の電圧検出装置の第２構成例を示す模式図である。
【図６】組電池の電圧検出装置の第３構成例を示す模式図である。
【図７】組電池の電圧検出装置の第４構成例を示す模式図である。
【発明を実施するための形態】
【００１１】
以下、本発明を実施するための形態について、図面に基づいて説明する。なお、特に明示しない限り、「接続する」という場合には電気的に接続することを意味する。各図は、本発明を説明するために必要な要素を図示し、実際の全要素を図示しているとは限らない。上下左右等の方向を言う場合には、図面の記載を基準とする。
【００１２】
〔実施の形態１〕
実施の形態１は、図１〜図４を参照しながら説明する。図１に示す電圧検出装置は、組電池ＥＧの電極間電圧を検出してＭＰＵ１００に伝達する機能を担う。組電池ＥＧは複数の電池モジュール、すなわち電池モジュールＥ１，Ｅ２，Ｅ３，…，Ｅｎで構成される。各電池モジュールは、単体の電池モジュールである場合と、縦続接続された複数の電池モジュールである場合と、これらが混在する場合とがある。
【００１３】
上記電圧検出装置は、ＯＦＦタイマー１１，２１，３１，…，ｎ１、電源供給部１２，２２，３２，…，ｎ２、電圧検出部１３，２３，３３，…，ｎ３、フォトカプラＸ１，Ｘ２，Ｘ３，…，Ｘｎなどを有する。ＯＦＦタイマー１１，２１，３１，…，ｎ１は同一の構成であって、各々が「供給制限部」に相当する。電源供給部１２，２２，３２，…，ｎ２は同一の構成である。電圧検出部１３，２３，３３，…，ｎ３は同一の構成である。フォトカプラＸ１，Ｘ２，Ｘ３，…，Ｘｎは同一の構成であって、各々が「絶縁型信号伝達部品」に相当する。ＭＰＵ１００は「信号処理装置」に相当する。
【００１４】
すなわち本形態の電圧検出装置は、ＯＦＦタイマー、電源供給部、電圧検出部、フォトカプラをｎ組有する構成である。ｎは２以上で任意の整数であり、電池モジュールＥ１，Ｅ２，Ｅ３，…，Ｅｎや組電池ＥＧの各定格電圧等に応じて適切に設定される。以下では説明を簡単にするため、ＯＦＦタイマー１１、電源供給部１２、電圧検出部１３、フォトカプラＸ１からなる組を代表して説明する。
【００１５】
フォトカプラＸ１は、受光半導体Ｑ１と発光ダイオードＤ１を有し、電源供給部１２から供給される電源を受けて作動する。絶縁を確保しながら信号伝達を行うため、受光半導体Ｑ１は高圧系に配置され、発光ダイオードＤ１は低圧系に配置される。発光ダイオードＤ１はＭＰＵ１００から出力される信号に基づいて発光し、当該光を受光半導体Ｑ１が受光して検出指令信号Ｓｃに変換して電圧検出部１３に伝達する。検出指令信号Ｓｃには「通信コマンド」を含む（図２を参照）。
【００１６】
電圧検出部１３は、電池モジュールＥ１の電極間電圧（すなわち正極と負極との電位差である。以下同じである。）を検出し、電圧検出信号Ｓｄ１を出力する。電極間電圧の検出は、受光半導体Ｑ１から伝達される検出指令信号Ｓｃに基づいて行われる。具体的には、検出指令信号Ｓｃに電圧検出部１３を特定する情報が含まれている場合に電池モジュールＥ１の電極間電圧を検出し、他の電圧検出部（例えば電圧検出部２３，３３，…，ｎ３等）を特定する情報が含まれている場合には電池モジュールＥ１の電極間電圧を検出しない。また電圧検出部１３は、電池モジュールＥ１の電極間電圧を検出する場合において、ＯＦＦタイマー１１に対して作動停止信号Ｓｆ１を出力（伝達の意味を含む。以下同じである。）する。電圧検出部１３の実現方法は任意であり、ＩＣ等のハードウェア構成でもよく、ＣＰＵがプログラムを実行するソフトウェア構成でもよい。
【００１７】
ＯＦＦタイマー１１は、電池モジュールＥ１からフォトカプラＸ１に供給する電源を所定期間に制限する。所定期間は、作動停止信号Ｓｆ１にかかわらず一定期間でもよく、作動停止信号Ｓｆ１のオン／オフに基づく不定期間でもよい。本形態では、電圧検出部１３から伝達される作動停止信号Ｓｆ１に基づいて、ＯＦＦタイマー１１がオン（ＯＮ）になってからオフ（ＯＦＦ）になるまでの停止期間Ｔｂを適用する（図４を参照）。
【００１８】
電源供給部１２は、ＯＦＦタイマー１１を介して、電池モジュールＥ１からフォトカプラＸ１に電源を供給する。ＯＦＦタイマー１１がどのような状態のときにフォトカプラＸ１に電源を供給するのかは任意に設定することができる。本形態では、ＯＦＦタイマー１１がオフのときに電源を供給し、オンのときには電源を供給しない。
【００１９】
電圧検出装置は、上述したＯＦＦタイマー１１，２１，３１，…，ｎ１、電源供給部１２，２２，３２，…，ｎ２、電圧検出部１３，２３，３３，…，ｎ３、フォトカプラＸ１，Ｘ２，Ｘ３，…，Ｘｎのほかに、電圧検出信号Ｓｄ１，Ｓｄ２，Ｓｄ３，…，ＳｄｎをＭＰＵ１００に伝達するためにフォトカプラＸｖを有する。
【００２０】
フォトカプラＸｖは、受光半導体Ｑｖと発光ダイオードＤｖを有し、高圧系の電力源Ｖccから電源を受けて作動する。フォトカプラＸ１，Ｘ２，Ｘ３，…，Ｘｎと同様に絶縁を確保しながら信号伝達を行うため、発光ダイオードＤｖは高圧系に配置され、受光半導体Ｑｖは低圧系に配置される。発光ダイオードＤｖは電圧検出信号Ｓｄ１，Ｓｄ２，Ｓｄ３，…，Ｓｄｎに基づいて発光し、当該光を受光半導体Ｑｖが受光して電圧検出信号Ｓｖに変換してＭＰＵ１００に伝達する。電圧検出部１３，２３，３３，…，ｎ３と発光ダイオードＤｖとの間は、図示するように直結してもよく、マルチプレクサ，バッファ，論理和回路等を介在させてもよい。ＭＰＵ１００は電圧検出信号Ｓｖに基づいて所要の処理を行う。所要の処理は任意に設定することができる。
【００２１】
上述した組電池の電圧検出装置における手続き例について、図２と図３を参照しながら説明する。図２は、電圧検出部１３，２３，３３，…，ｎ３でそれぞれ実行される供給制限処理の一例である。図３は、ＯＦＦタイマー１１，２１，３１，…，ｎ１でそれぞれ実行される作動停止処理の一例である。実現方法は任意であり、ゲート回路等のハードウェア構成でもよく、ＣＰＵがプログラムを実行するソフトウェア構成でもよい。
【００２２】
図２に示す供給制限処理では、まず検出指令信号Ｓｃに含まれる通信コマンドを受信する〔ステップＳ１０〕。次にステップＳ１０で受信した通信コマンドが電圧検出指令、すなわち目的とする電池モジュール（すなわち電池モジュールＥ１，Ｅ２，Ｅ３，…，Ｅｎのうちで対応する電池モジュール）の電極間電圧を検出して送信する指令を受けたか否かを判別する〔ステップＳ１１〕。もし通信コマンドが電圧検出指令であれば（ＹＥＳ）、目的とする電池モジュールの電極間電圧を検出して送信し〔ステップＳ１３〕、ステップＳ１０に戻る。一方、通信コマンドが電圧検出指令でなければ（ステップＳ１１でＮＯ）、対応するＯＦＦタイマーに対して一定時間（すなわち後述する図４に示す停止期間Ｔｂ）オンする作動停止信号を出力し〔ステップＳ１２〕、ステップＳ１０に戻る。
【００２３】
図３に示す作動停止処理では、まず電圧検出部から一定時間オンする作動停止信号を受けたか否かを判別する〔ステップＳ２０〕。もし電圧検出部から一定時間オンする信号を受けなければ（ＮＯ）、当該信号を受けるまでステップＳ２０を繰り返す。一方、電圧検出部から一定時間オンする作動停止信号Ｓｆ１を受けると（ＹＥＳ）、対応する電源供給部を停止させる信号（すなわち後述する図４に示す供給停止信号Ｓｔ１，Ｓｔ２，Ｓｔ３，…，Ｓｔｎのうちで対応する供給停止信号がオンとなる信号）を出力する〔ステップＳ２１〕。そして、一定時間を待機した後〔ステップＳ２２〕、対応する電源供給部を作動させる信号（すなわち後述する図４に示す供給停止信号Ｓｔ１，Ｓｔ２，Ｓｔ３，…，Ｓｔｎのうちで対応する供給停止信号がオフとなる信号）を出力し〔ステップＳ２２〕、次回の作動停止信号に備えてステップＳ２０に戻る。
【００２４】
上述のように構成された組電池の電圧検出装置において、１周期の作動例について図４を参照しながら説明する。図４では上から順番に、検出指令信号Ｓｃ、ＯＦＦタイマー１１が出力する供給停止信号Ｓｔ１、フォトカプラＸ１、ＯＦＦタイマー２１が出力する供給停止信号Ｓｔ２、フォトカプラＸ２、ＯＦＦタイマー３１が出力する供給停止信号Ｓｔ３、フォトカプラＸ３、…、ＯＦＦタイマーｎ１が出力する供給停止信号Ｓｔｎ、フォトカプラＸｎの作動状態を経時的に示す。なお各フォトカプラについては、作動に伴う電力消費を分かり易くするためにクロスハッチを付して示す。
【００２５】
時刻ｔ１１から時刻ｔ１３までにＭＰＵ１００から伝達される検出指令信号Ｓｃは電池モジュールＥ１の電極間電圧を検出して送信する指令を含む。この検出指令信号Ｓｃを受けた電圧検出部１３は作動停止信号Ｓｆ１を出力せず、他の電圧検出部２３，３３，…，ｎ３はそれぞれ作動停止信号Ｓｆ２，Ｓｆ３，…，Ｓｆｎを出力する。よってＯＦＦタイマー１１は作動停止信号Ｓｆ１はオフのままで供給停止信号Ｓｔ１を出力し、他のＯＦＦタイマー２１，３１，…，ｎ１はそれぞれ作動停止信号Ｓｆ２，Ｓｆ３，…，Ｓｆｎをオンにして出力する。したがって、作動停止信号Ｓｆ２，Ｓｆ３，…，ＳｆｎがオンになるフォトカプラＸ２，Ｘ３，…，Ｘｎが停止期間Ｔｂだけ停止する。
【００２６】
なお、作動停止信号Ｓｆ２，Ｓｆ３，…，Ｓｆｎは時刻ｔ１２にオンしてから、時刻ｔ１４にオフしている。時刻ｔ１１から時刻ｔ１２までの応答遅延期間Ｔａは、電圧検出部２３，３３，…，ｎ３から作動停止信号Ｓｆ２，Ｓｆ３，…，Ｓｆｎが出力されるまでの応答遅れや、ＯＦＦタイマー２１，３１，…，ｎ１から供給停止信号Ｓｔ２，Ｓｔ３，…，Ｓｔｎが出力されるまでの応答遅れ等が生じるためである。応答遅延期間Ｔａは理想的には０であることが望ましいが、現実には少なからず生じる。フォトカプラＸ２，Ｘ３，…，Ｘｎの電力消費を抑制するには、応答遅延期間Ｔａが短くなるように設計する。また、時刻ｔ１４から時刻ｔ２１までの無信号期間Ｔｃは、フォトカプラＸ２，Ｘ３，…，Ｘｎが作動せず、かつ、ＭＰＵ１００から検出指令信号Ｓｃが伝達されない期間である。フォトカプラＸ２，Ｘ３，…，Ｘｎによる電力消費を抑制するには、次回の検出指令信号Ｓｃが伝達される前にフォトカプラＸ２，Ｘ３，…，Ｘｎの作動を回復できることを前提として、無信号期間Ｔｃはできるだけ長く確保するのが望ましい。応答遅延期間Ｔａおよび無信号期間Ｔｃは時刻ｔ２１以降についても同様である。
【００２７】
時刻ｔ２１から時刻ｔ２３までにＭＰＵ１００から伝達される検出指令信号Ｓｃは電池モジュールＥ２の電極間電圧を検出して送信する指令を含む。この検出指令信号Ｓｃを受けた電圧検出部２３は作動停止信号Ｓｆ２を出力せず、他の電圧検出部１３，３３，…，ｎ３はそれぞれ作動停止信号Ｓｆ１，Ｓｆ３，…，Ｓｆｎを出力する。よってＯＦＦタイマー２１は作動停止信号Ｓｆ２はオフのままで供給停止信号Ｓｔ２を出力し、他のＯＦＦタイマー１１，３１，…，ｎ１はそれぞれ作動停止信号Ｓｆ１，Ｓｆ３，…，Ｓｆｎをオンにして出力する。したがって、作動停止信号Ｓｆ１，Ｓｆ３，…，ＳｆｎがオンになるフォトカプラＸ１，Ｘ３，…，Ｘｎが停止期間Ｔｂだけ停止する。
【００２８】
時刻ｔ３１から時刻ｔｎ１までも同様に行われ、時刻ｔｎ１から時刻ｔｎ３までにＭＰＵ１００から伝達される検出指令信号Ｓｃは電池モジュールＥｎの電極間電圧を検出して送信する指令を含む。この検出指令信号Ｓｃを受けた電圧検出部ｎ３は作動停止信号Ｓｆｎを出力せず、他の電圧検出部１３，２３，…はそれぞれ作動停止信号Ｓｆ１，Ｓｆ２，…を出力する。よってＯＦＦタイマーｎ１は作動停止信号Ｓｆｎはオフのままで供給停止信号Ｓｔｎを出力し、他のＯＦＦタイマー１１，２１，…はそれぞれ作動停止信号Ｓｆ１，Ｓｆ２，…をオンにして出力する。したがって、作動停止信号Ｓｆ１，Ｓｆ２，…がオンになるフォトカプラＸ１，Ｘ２，…が停止期間Ｔｂだけ停止する。
【００２９】
以上の作動によれば、時刻ｔ１２から時刻ｔ１４まで、時刻ｔ２２から時刻ｔ２４まで、時刻ｔ３２から時刻ｔ３４まで、…、時刻ｔｎ２から時刻ｔｎ４までは、一のフォトカプラのみが作動し、他のフォトカプラは作動しない。したがって、フォトカプラＸ１，Ｘ２，Ｘ３，…，Ｘｎ全体の電力消費を少なく抑えることができる。
【００３０】
上述した実施の形態１によれば、以下に示す各効果を得ることができる。
【００３１】
（１）組電池の電圧検出装置において、組電池ＥＧからフォトカプラＸ１，Ｘ２，Ｘ３，…，Ｘｎに供給する電源を所定期間に制限するＯＦＦタイマー１１，２１，３１，…，ｎ１（供給制限部）を有する構成とした（図１〜図４を参照）。この構成によれば、ＯＦＦタイマー１１，２１，３１，…，ｎ１によって、組電池ＥＧからフォトカプラＸ１，Ｘ２，Ｘ３，…，Ｘｎに供給される電源が所定期間に制限される。電力源として組電池ＥＧを適用するので、従来技術のような補機バッテリは不要になり、コストを低減することができる。常に電源を供給する必要が無いので、組電池ＥＧのエネルギー消費を抑制することができる。なお図示しないが、電源供給部１２，２２，３２，…，ｎ２や、電圧検出部１３，２３，３３，…，ｎ３についても組電池ＥＧから供給される電源が所定期間に制限されるようにしても同様の作用効果が得られる。
【００３２】
（２）ＯＦＦタイマー１１，２１，３１，…，ｎ１は、ＭＰＵ１００からフォトカプラＸ１，Ｘ２，Ｘ３，…，Ｘｎを介して伝達される検出指令信号Ｓｃ（信号）に基づいて、組電池ＥＧからフォトカプラＸ１，Ｘ２，Ｘ３，…，Ｘｎに供給する電源を制限する構成とした（図１，図４を参照）。この構成によれば、検出指令信号Ｓｃに基づいてフォトカプラＸ１，Ｘ２，Ｘ３，…，Ｘｎに供給する電源を制限するので、制限のコントロールを容易かつ確実に行える。
【００３３】
（４）ＯＦＦタイマー１１，２１，３１，…，ｎ１は、複数の電源供給部１２，２２，３２，…，ｎ２のうちで一以上の電源供給部１２，２２，３２，…，ｎ２について、電源をフォトカプラＸ１，Ｘ２，Ｘ３，…，Ｘｎに供給することを停止する構成とした（図１，図４を参照）。ただし、フォトカプラＸ１，Ｘ２，Ｘ３，…，Ｘｎの全部に電源の供給停止することはない。この構成によれば、電源をフォトカプラＸ１，Ｘ２，Ｘ３，…，Ｘｎに供給する電源を制限する分だけ、全体の電力消費を低く抑えることができる。
【００３４】
（５）ＯＦＦタイマー１１，２１，３１，…，ｎ１は、ＭＰＵ１００から伝達される所定の信号を検出しない場合には、組電池ＥＧからフォトカプラＸ１，Ｘ２，Ｘ３，…，Ｘｎに供給する電源を制限しない構成とした（図１，図４を参照）。この構成によれば、ＯＦＦタイマー１１，２１，３１，…，ｎ１に動作不良が生じて供給停止信号Ｓｔ１，Ｓｔ２，Ｓｔ３，…，Ｓｔｎをオンにすることができなかった場合でも、ＭＰＵ１００と電圧検出部１３，２３，３３，…，ｎ３との通信は継続される。したがって、ＯＦＦタイマー１１，２１，３１，…，ｎ１の１次故障でＭＰＵ１００と電圧検出部１３，２３，３３，…，ｎ３が通信不良になることを防止できる。
【００３５】
〔実施の形態２〕
実施の形態２は、図５を参照しながら説明する。なお、組電池の電圧検出装置の構成等は実施の形態１と同様であり、図示および説明を簡単にするために実施の形態２では実施の形態１と異なる点について説明する。よって実施の形態１で用いた要素と同一の要素には同一の符号を付して説明を省略する。
【００３６】
図５に示す組電池の電圧検出装置は、電圧検出部１３，２３，３３，…，ｎ３にそれぞれＯＦＦタイマー１１，２１，３１，…，ｎ１を備える点で、図１に示す組電池の電圧検出装置と相違する。具体的には、電圧検出部とＯＦＦタイマーの両機能について、ゲート回路で実現したり、一の基板上に双方の機能を実現する回路を構成したりする。
【００３７】
電圧検出部１３，２３，３３，…，ｎ３にそれぞれＯＦＦタイマー１１，２１，３１，…，ｎ１を備えるので、作動停止信号Ｓｆ１，Ｓｆ２，Ｓｆ３，…，Ｓｆｎの伝達を行う必要が無い。そのため、当該作動停止信号Ｓｆ１，Ｓｆ２，Ｓｆ３，…，Ｓｆｎの伝達に伴う応答遅れを抑制することができる（図４の応答遅延期間Ｔａを参照）。
【００３８】
上述した実施の形態２によれば、以下に示す各効果を得ることができる。その他については実施の形態１と同様の作用効果を得ることができる。
【００３９】
（３）ＯＦＦタイマー１１，２１，３１，…，ｎ１は、電源供給部１２，２２，３２，…，ｎ２にそれぞれ備えられる構成とした（図５を参照）。この構成によれば、部品点数が少なく抑えられるので、組電池の電圧検出装置の製造にかかる作業工数を抑制することができる。
【００４０】
〔実施の形態３〕
実施の形態３は、図６を参照しながら説明する。なお、組電池の電圧検出装置の構成等は実施の形態１と同様であり、図示および説明を簡単にするために実施の形態３では実施の形態１と異なる点について説明する。よって実施の形態１で用いた要素と同一の要素には同一の符号を付して説明を省略する。
【００４１】
図６に示す組電池の電圧検出装置は、電源供給部１２，２２，３２，…，ｎ２にそれぞれＯＦＦタイマー１１，２１，３１，…，ｎ１を備える点で、図１に示す組電池の電圧検出装置と相違する。具体的には、電源供給部とＯＦＦタイマーの両機能について、ゲート回路で実現したり、一の基板上に双方の機能を実現する回路を構成したりする。
【００４２】
電源供給部１２，２２，３２，…，ｎ２にそれぞれＯＦＦタイマー１１，２１，３１，…，ｎ１を備えるので、供給停止信号Ｓｔ１，Ｓｔ２，Ｓｔ３，…，Ｓｔｎの伝達を行う必要が無い。そのため、当該供給停止信号Ｓｔ１，Ｓｔ２，Ｓｔ３，…，Ｓｔｎの伝達に伴う応答遅れを抑制することができる（図４の応答遅延期間Ｔａを参照）。
【００４３】
上述した実施の形態３によれば、以下に示す各効果を得ることができる。その他については実施の形態１と同様の作用効果を得ることができる。
【００４４】
（３）ＯＦＦタイマー１１，２１，３１，…，ｎ１は、電源供給部１２，２２，３２，…，ｎ２にそれぞれ備えられる構成とした（図５を参照）。この構成によれば、部品点数が少なく抑えられるので、組電池の電圧検出装置の製造にかかる作業工数を抑制することができる。
【００４５】
〔他の実施の形態〕
以上では本発明を実施するための形態について実施の形態１〜３に従って説明したが、本発明は当該形態に何ら限定されるものではない。言い換えれば、本発明の要旨を逸脱しない範囲内において、種々なる形態で実施することもできる。例えば、次に示す各形態を実現してもよい。
【００４６】
上述した実施の形態１〜３では、絶縁型信号伝達部品としてフォトカプラＸ１，Ｘ２，Ｘ３，…，Ｘｎを適用した（図１，図５，図６を参照）。この形態に代えて（あるいは加えて）、絶縁を確保しながら信号を伝達可能な他の絶縁型信号伝達部品を適用してもよい。他の絶縁型信号伝達部品は、例えばトランス，フォトＭＯＳ，アイソレーションアンプ，抵抗器，コンデンサ等が該当する。他の絶縁型信号伝達部品を適用する場合でも、絶縁を確保しながら信号が伝達でき、かつ、上述した実施の形態１〜３と同様の作用効果が得られる。
【００４７】
上述した実施の形態１〜３では、供給制限部としてＯＦＦタイマー１１，２１，３１，…，ｎ１を適用した（図１，図５，図６を参照）。この形態に代えて（あるいは加えて）、電源の供給を所定期間に制限可能な他の供給制限部を適用してもよい。他の供給制限部は、例えばプログラマブルロジックコントローラ，パルス発生器（マルチバイブレータ等）等が該当する。他の供給制限部を適用する場合でも、電源の供給を所定期間に制限でき、かつ、上述した実施の形態１〜３と同様の作用効果が得られる。
【００４８】
上述した実施の形態１〜３では、信号処理装置としてＭＰＵ１００を適用した（図１，図５，図６を参照）。この形態に代えて、電圧検出部１３，２３，３３，…，ｎ３に対して検出指令信号Ｓｃを出力し、電圧検出部１３，２３，３３，…，ｎ３からそれぞれ電圧検出信号Ｓｄ１，Ｓｄ２，Ｓｄ３，…，Ｓｄｎを入力する他の信号処理装置を適用してもよい。他の信号処理装置は、例えばコンピュータ，ＥＣＵ等が該当する。他の信号処理装置を適用する場合でも、信号の入出力が行え、かつ、上述した実施の形態１〜３と同様の作用効果が得られる。
【００４９】
上述した実施の形態１〜３では、フォトカプラＸ１，Ｘ２，Ｘ３，…，Ｘｎについて、発光ダイオードＤ１，Ｄ２，Ｄ３，…，Ｄｎを低圧系に配置し、受光半導体Ｑ１，Ｑ２，Ｑ３，…，Ｑｎを高圧系に配置する構成とした（図１，図５，図６を参照）。この形態に代えて、受光半導体Ｑ１，Ｑ２，Ｑ３，…，Ｑｎを低圧系に配置し、発光ダイオードＤ１，Ｄ２，Ｄ３，…，Ｄｎを高圧系に配置する構成としてもよい。この配置例を図７に示す。図７の構成例では検出指令信号Ｓｃを電圧検出部１３，２３，３３，…，ｎ３に伝達するため、低圧系に配置する発光ダイオードＤｖと、高圧系に配置する受光半導体Ｑｖとを有するフォトカプラＸｖを備える。この構成例であっても、検出指令信号Ｓｃを電圧検出部１３，２３，３３，…，ｎ３に伝達でき、目的とする電池モジュ−ルの電極間電圧を検出してフォトカプラＸ１，Ｘ２，Ｘ３，…，Ｘｎを通じてＭＰＵ１００に伝達できる。図７の構成例は図１の構成例に対応するが、図５や図６の構成例に対しても同様に対応できる。したがって、上述した実施の形態１〜３と同様の作用効果が得られる。
【符号の説明】
【００５０】
１１，２１，３１，…，ｎ１  タイマー
１２，２２，３２，…，ｎ２  電源供給部
１３，２３，３３，…，ｎ３  電圧検出部
Ｘ１，Ｘ２，Ｘ３，…，Ｘｎ  フォトカプラ
ＥＧ  組電池
Ｅ１，Ｅ２，Ｅ３，…，Ｅｎ  電池モジュ−ル
【図１】
2013238480.tif 000003
【図２】
2013238480.tif 000004
【図３】
2013238480.tif 000005
【図４】
2013238480.tif 000006
【図５】
2013238480.tif 000007
【図６】
2013238480.tif 000008
【図７】
2013238480.tif 000009